(57)【要約】【課題】  室内ユニットからの吹出空気を正面方向へ送風するときの通風抵抗を抑えて、かつ、風向板の寸法，数、及び回転角度で規定される左右方向の風向制御範囲よりも、広範な風向制御が可能な風向板を備えた空気調和機を提供する。【解決手段】  室内空気を吸込み熱交換して吹出す空気調和機において、左右方向への風向制御を行う風向板を室内ユニットの吹出口に備え、前記風向板は風向上流側の風向板と風向下流側の風向板とで構成され、上流側風向板の内部に下流側風向板を収納させ、前記下流側風向板を前記上流側風向板に収納させた状態を保持可能な範囲で前記下流側風向板を風向下流へ動かすことで、風向板全体が風向下流へ伸縮可能な構造とする。【選択図】図２
2008281215.tif 000002
【特許請求の範囲】
【請求項１】
調和空気を吹出す吹出口と、前記吹出口に複数配列され前記吹出口から吹出す空気を左右方向へ送風する左右風向板を備えた空気調和機において、前記左右風向板は第一の左右風向板と第二の左右風向板とで構成され、前記第一の左右風向板は中空部を有し、前記中空部に前記第二の左右風向板が挿入され、左右方向送風時に前記第二の左右風向板は前記中空部から引き出されることを特徴とする空気調和機。
【請求項２】
調和空気を吹出す吹出口と、前記吹出口に複数配列され前記吹出口から吹出す空気を左右方向へ送風する左右風向板を備えた空気調和機において、前記左右風向板は第一の左右風向板と第二の左右風向板とで構成され、前記第一の左右風向板は回動自在に吹出口に軸支され、前記第二の左右風向板は連動するように連結部材で連結され、前記第一の左右風向板は下流部に中空部を有し、前記中空部に前記第二の左右風向板が挿入され、左右方向送風時に前記第二の左右風向板が前記中空部から下流に引き出されることを特徴とする空気調和機。
【請求項３】
請求項２に記載の空気調和機において、前記第二の左右風向板は弾性体で構成され、左右方向へ湾曲することを特徴とする空気調和機。
【請求項４】
送風ファンと、送風ファンの前方と上方を囲むように設置された熱交換器と、前記熱交換器の上方に設けられ室内空気を吸込む吸込口と、前記送風ファンの下方に設けられ熱交換した空気を送風する吹出口と、前記吹出口を開閉自在に設けられ上下方向に風向制御する上下風向板と、前記吹出口の左右方向に複数配列され左右方向へ風向制御する左右風向板と、前記左右風向板を連動するように連結する連結部材とを備えた空気調和機において、前記左右風向板は第一の左右風向板と第二の左右風向板とで構成され、前記第一の左右風向板は前記第二の左右風向板よりも前記送風ファンに近い位置に回動自在に軸支され、前記第一の左右風向板は下流に開口する中空部を有し、前記中空部に前記第二の左右風向板の上流部が挿入され、前記第二の左右風向板は連結部材に連動して左右方向送風時に前記中空部から下流に引き出され、前記第二の左右風向板が前記中空部から下流に露出する長さは、正面方向送風時よりも左右方向送風時に長いことを特徴とする空気調和機。
【請求項５】
送風ファンと熱交換器を備え、空気を吸込口から吸込み熱交換して吹出す吹出口と、前記吹出口に複数配列され前記吹出口から吹出す空気を左右方向へ送風する左右風向板を備えた空気調和機において、前記左右風向板は第一の左右風向板と第二の左右風向板とで構成され、前記第二の左右風向板は回動自在に吹出口に軸支され、前記第一の左右風向板は連動するように連結部材で連結され、前記第一の左右風向板の上流部に中空部を有し、前記中空部に前記第二の左右風向板が挿入され、左右方向送風時に前記第一の左右風向板が下流へ引き出されることを特徴とする空気調和機。
【請求項６】
請求項５に記載の空気調和機において、前記第一の左右風向板は弾性体で構成され、左右方向へ湾曲することを特徴とする空気調和機。
【請求項７】
調和空気を吹出す吹出口と、前記吹出口に複数配列されて吹出空気を左右方向へ送風する左右風向板と、前記左右風向板を連結して左右方向に駆動させる連結部材とを備えた空気調和機において、前記左右風向板は弾性体で構成され、前記左右風向板は吹出口に軸支され、前記左右風向板は正面方向送風時よりも左右方向送風時に伸びることを特徴とする空気調和機。
【請求項８】
調和空気を吹出す吹出口と、前記吹出口に複数配列されて吹出空気を左右方向へ送風する左右風向板と、前記左右風向板を連結して左右方向に回動させる連結部材とを備えた空気調和機において、前記左右風向板は弾性体で構成され、前記左右風向板の上流部は回動自在に吹出口に軸支され、下流部に前記連結部材が連結され、前記左右風向板は正面方向送風時よりも左右方向送風時に伸びることを特徴とする空気調和機。
【請求項９】
調和空気を吹出す吹出口に複数配列されて吹出空気を左右方向へ送風する左右風向板と、前記左右風向板を連結して連動させる連結部材とを備えた空気調和機において、前記左右風向板は弾性体で構成され、前記左右風向板の上流部は吹出口に固着され、下流部に前記連結部材が連結され、前記左右風向板は正面方向送風時よりも左右方向送風時に伸び、かつ、左右方向に湾曲することを特徴とする空気調和機。
【発明の詳細な説明】
【技術分野】
【０００１】
本発明は、空気調和機に関する。
【背景技術】
【０００２】
空気調和機は、設置した室内の空気を熱交換器に循環させて、加熱，冷却，除湿機能等で調和空気にし、送風ファンによって室内に送風することで室内環境を調節する。
【０００３】
また、調和空気を室内ユニットから左右方向へ送風するために、室内ユニットの吹出口の略水平方向には、角度調節自在な複数の左右風向板が所定間隔で設置されている。この左右風向板の角度を制御することで、風向制御された調和空気が、所定の方向へと送風される。
【０００４】
室内ユニットにおける左右風向板と調和空気の流れの関係を、図２６にて説明する。図２６は、室内ユニットから送風する調和空気（以下、吹出空気）を、左右方向へ風向制御するときの、左右風向板の状態を示す図である。なお、図２６における破線矢印は、吹出空気の流れを示す。
【０００５】
図２６において、風向制御方向（吹出空気の風向上流から風向下流の方向。図２６では上側から下側の方向）にｂの長さをもつ左右風向板１０が、室内ユニットの吹出口に設置される。左右風向板１０は、それぞれピッチｐの間隔で吹出口の左右方向に設置され、回転軸１３で回動自在に軸支される。図２６においては、風向上流側の一部がそれぞれ回動自在に軸支される。また、左右風向板１０は、連結部材６によって連動するようにそれぞれ連結される。
【０００６】
この左右風向板１０の左右方向への最大回転角度がαのとき、左右風向板１０の寸法がそれぞれ等しければ、長さｂ，ピッチｐ、及び角度αによって、吹出空気の左右方向へ送風可能な範囲（風向制御角度β）が規定される。すなわち、風向制御角度βが大きいほど、室内ユニットを設置した室内の広範囲へ送風可能となる。
【０００７】
ここで、風向制御角度βを大きくするために、長さｂと角度αを大きくして、ピッチｐを小さくすることが考えられる。しかし、長さｂを大きくすると、吹出空気を正面方向へ送風するとき、通風抵抗が大きくなる。一方、ピッチｐを小さくすると、左右風向板１０の数が増加するため、如何なる風向制御状態においても通風抵抗が大きくなり、騒音が増加する。また、角度αを大きくすると、吹出空気の風路幅が狭くなるため、通風抵抗が増加し、騒音が増加する。
【０００８】
吹出空気の左右方向への風向制御技術として、従来、特許文献１〜３に記載のものがある。
【０００９】
特許文献１には、室内ユニットの吹出口に設けられた主風向板と、主風向板内に収められ、前方または上方に延出する補助風向板とからなる左右風向板の構成が記載されている。
【００１０】
特許文献２には、室内ファンからの送風を左または右方向へ案内する第一の湾曲部と、第一の湾曲部により案内された送風を元の方向へ戻すように案内する第二の案内部、とを備えた左右風向板の構成が記載されている。
【００１１】
特許文献３には、吹出空気の風向角度を調整する偏向板の風下側端縁に凸部又は湾曲部を設けた構成が記載されている。
【００１２】
【特許文献１】特開２００４−２３２９４３号公報
【特許文献２】特開平８−１５９５４６号公報
【特許文献３】特開平５−７１７９６号公報
【発明の開示】
【発明が解決しようとする課題】
【００１３】
前述した従来技術は、風向板の寸法や形状によって、左右方向への送風範囲が規定される。すなわち、風向制御範囲（風向板回転角度）を拡大したり、風向板の数を増やしたり、風向板の寸法を拡大したりすると、通風抵抗や騒音が課題となる。
【００１４】
特許文献１の構成は、主風向板に収められた補助風向板が上下風向板との距離を縮めるように延出して、冷風を下降させることなく遠くまで送風したり、温風を左右方向に送風したりしている。しかし、左右風向板の寸法や数，回転角度によって、吹出空気の左右方向への風向制御範囲は規定されるため、広範な風向制御を行うことは難しい。
【００１５】
特許文献２の構成は、左右風向板同士の湾曲部で送風の際に生じる騒音を反射させて減衰することで、送風騒音を低減している。しかし、正面方向への送風時に、湾曲部が通風抵抗となり、送風効率が低下するおそれがある。
【００１６】
特許文献３の構成は、偏向調整板において凸部や湾曲部のない範囲では、偏向調整板の方向に送風され、凸部や湾曲部のある範囲では、その形状に沿って送風される。しかし、正面方向への送風時に、凸部や湾曲部では正面に送風できないため、送風効率が低下するおそれがある。
【００１７】
本発明は、上記課題を解決するものである。本発明の目的は、室内ユニットからの吹出空気を正面方向へ送風するときの通風抵抗を抑えて、かつ、風向板の寸法，数、及び回転角度で規定される左右方向の風向制御範囲よりも、広範な風向制御が可能な風向板を備えた空気調和機を提供することである。
【課題を解決するための手段】
【００１８】
上記課題を解決するために、本発明における第一の態様の空気調和機は、調和空気を吹出す吹出口と、前記吹出口に複数配列され前記吹出口から吹出す空気を左右方向へ送風する左右風向板を備えた空気調和機において、前記左右風向板は第一の左右風向板と第二の左右風向板とで構成され、前記第一の左右風向板は中空部を有し、前記中空部に前記第二の左右風向板が挿入され、左右方向送風時に前記第二の左右風向板は前記中空部から引き出されることを特徴とする。
【００１９】
また、調和空気を吹出す吹出口と、前記吹出口に複数配列され前記吹出口から吹出す空気を左右方向へ送風する左右風向板を備えた空気調和機において、前記左右風向板は第一の左右風向板と第二の左右風向板とで構成され、前記第一の左右風向板は回動自在に吹出口に軸支され、前記第二の左右風向板は連動するように連結部材で連結され、前記第一の左右風向板は下流部に中空部を有し、前記中空部に前記第二の左右風向板が挿入され、左右方向送風時に前記第二の左右風向板が前記中空部から下流に引き出されることを特徴とする。
【００２０】
また、前記第二の左右風向板は弾性体で構成され、左右方向へ湾曲することを特徴とする空気調和機。
【００２１】
また、送風ファンと、送風ファンの前方と上方を囲むように設置された熱交換器と、前記熱交換器の上方に設けられ室内空気を吸込む吸込口と、前記送風ファンの下方に設けられ熱交換した空気を送風する吹出口と、前記吹出口を開閉自在に設けられ上下方向に風向制御する上下風向板と、前記吹出口の左右方向に複数配列され左右方向へ風向制御する左右風向板と、前記左右風向板を連動するように連結する連結部材とを備えた空気調和機において、前記左右風向板は第一の左右風向板と第二の左右風向板とで構成され、前記第一の左右風向板は前記第二の左右風向板よりも前記送風ファンに近い位置に回動自在に軸支され、前記第一の左右風向板は下流に開口する中空部を有し、前記中空部に前記第二の左右風向板の上流部が挿入され、前記第二の左右風向板は連結部材に連動して左右方向送風時に前記中空部から下流に引き出され、前記第二の左右風向板が前記中空部から下流に露出する長さは、正面方向送風時よりも左右方向送風時に長いことを特徴とする。
【００２２】
本発明における第二の態様の空気調和機は、送風ファンと熱交換器を備え、空気を吸込口から吸込み熱交換して吹出す吹出口と、前記吹出口に複数配列され前記吹出口から吹出す空気を左右方向へ送風する左右風向板を備えた空気調和機において、前記左右風向板は第一の左右風向板と第二の左右風向板とで構成され、前記第二の左右風向板は回動自在に吹出口に軸支され、前記第一の左右風向板は連動するように連結部材で連結され、前記第一の左右風向板の上流部に中空部を有し、前記中空部に前記第二の左右風向板が挿入され、左右方向送風時に前記第一の左右風向板が下流へ引き出されることを特徴とする。
【００２３】
また、前記第一の左右風向板は弾性体で構成され、左右方向へ湾曲することを特徴とする。
【００２４】
本発明における第三の態様の空気調和機は、調和空気を吹出す吹出口と、前記吹出口に複数配列されて吹出空気を左右方向へ送風する左右風向板と、前記左右風向板を連結して左右方向に駆動させる連結部材とを備えた空気調和機において、前記左右風向板は弾性体で構成され、前記左右風向板は吹出口に軸支され、前記左右風向板は正面方向送風時よりも左右方向送風時に伸びることを特徴とする。
【００２５】
また、調和空気を吹出す吹出口と、前記吹出口に複数配列されて吹出空気を左右方向へ送風する左右風向板と、前記左右風向板を連結して左右方向に回動させる連結部材とを備えた空気調和機において、前記左右風向板は弾性体で構成され、前記左右風向板の上流部は回動自在に吹出口に軸支され、下流部に前記連結部材が連結され、前記左右風向板は正面方向送風時よりも左右方向送風時に伸びることを特徴とする。
【００２６】
本発明における第四の態様の空気調和機は、調和空気を吹出す吹出口に複数配列されて吹出空気を左右方向へ送風する左右風向板と、前記左右風向板を連結して連動させる連結部材とを備えた空気調和機において、前記左右風向板は弾性体で構成され、前記左右風向板の上流部は吹出口に固着され、下流部に前記連結部材が連結され、前記左右風向板は正面方向送風時よりも左右方向送風時に伸び、かつ、左右方向に湾曲することを特徴とする。
【発明の効果】
【００２７】
本発明によれば、室内ユニットからの吹出空気を正面方向へ送風するときの通風抵抗を抑えて、かつ、風向板の寸法，数、及び回転角度で規定される左右方向の風向制御範囲よりも、広範な風向制御が可能な風向板を備えた空気調和機を提供することができる。
【発明を実施するための最良の形態】
【００２８】
以下、本発明の実施例について説明する。まず、空気調和機の全体構成について、図１，図２、及び図２７を用いて説明する。図１は、空気調和機の室内ユニット１７の正面図である。図２は、室内ユニット１７の側断面図である。図２７は、空気調和機の全体構成図である。
【００２９】
空気調和機は、室内ユニット１７と室外機２２を接続配管２１でつなぎ、室内を空気調和する。
【００３０】
室内ユニット１７は、前方に前面パネル１が設けられ、上方に上面グリル２が設けられる。前面パネル１の上部は、ユニット枠３に着脱自在に取付けられる。また、運転中、前面パネル１の前方の開閉用パネルは、下部を支点にして回動自在である。上面グリル２は、ユニット枠３に着脱可能に取付けられる。室内ユニット１７の上方には、室内空気を吸込む吸込口１６が設けられ、室内ユニット１７の下方には、調和空気を室内ユニット１７から室内に吹出す吹出口１５が設けられる。
【００３１】
吹出口１５は、ケーシング９に取付けられた上下風向板１１の回動により、開閉自在である。また、上下風向板１１は、室内ユニット１７から吹出す気流を上下に風向制御して、室内に送風する。
【００３２】
このように、室内ユニット１７の概観は、前面パネル１，上面グリル２，ユニット枠３，上下風向板１１，ケーシング９等によって構成される。
【００３３】
室内ユニット１７の前面パネル１と上面グリル２との内方には、プレフィルター４が設置される。プレフィルター４は、ユニット枠３に着脱自在に取付けられる。プレフィルター４の内方には、室内ユニット１７の前方に位置するように、空清フィルター５が配設される。空清フィルター５は、ユニット枠３に着脱自在に取付けられる。
【００３４】
空清フィルター５の内方には、パイプとフィンで構成された熱交換器７が配設される。熱交換器７は、水平方向の長さが略等しい送風ファン８を囲繞するように配置される。具体的に、熱交換器７は、室内ユニット１７上方の一箇所、前方の二箇所の合計三箇所で区切ることで、送風ファン８を囲うように配置する。送風ファン８は、ケーシング９の間に配置され、送風ファン８の回転軸はモータに連結される。
【００３５】
吹出口１５には、左右方向に所定間隔で左右風向板１０が配設される。具体的に、左右風向板１０は、ケーシング９に対して回転軸１３で回転自在に軸支される。
【００３６】
冷媒用銅パイプ１４は、室内ユニット１７の後方に、その周囲が断熱材で覆われるように配管される。
【００３７】
前面パネル１の表示部１８の奥には、電気部品ユニットの電装部が設けられる。また、電気部品ユニットの制御基板には、マイコンが設けられており、リモコン２０から送られた信号を受光部１９で受信して、空気調和機が運転動作する。電装部の電光色を運転モードに合わせて変化させることで、表示部１８の表示色で運転モードを判断できる。
【００３８】
運転が開始されると、前面パネル１の開閉用パネルは、下部を支点にして前方へ回動して所定角度傾き、室内ユニット１７の上部が開口する。
【００３９】
上下風向板１１は、マイコン制御によって回動し、室内ユニット１７の吹出口が開く。
【００４０】
室内ユニット１７がリモコン２０からの運転信号を受信すると、室外機２２も作動する。室外機２２から送られた冷媒は、冷媒用銅パイプ１４を介して熱交換器７を循環する。送風ファン８に連結するモータは、マイコン制御により、運転状態に合わせた駆動をする。
【００４１】
次に、空気の吸込みから吹出しの流れについて説明する。送風ファン８が、図２において右回りに回転すると、前面パネル１の開口部と上面グリル２から、室内空気が吸込まれる（以下、吸込空気）。そして、吸込空気は、プレフィルター４を通過して室内ユニット１７の内部に流れる。吸込空気がプレフィルター４を通過するとき、同時に吸込まれた埃等が取り除かれる。プレフィルター４を通過した吸込空気は、プレフィルター４の内方の空清フィルター５を通過するとき、さらに清浄される。この過程を経て、吸込空気は熱交換器７へ流入し、熱交換された後、送風ファン８へ流れていく。送風ファン８へ流れた吹出空気は、送風ファン８の羽根間を通過して外径側から内径側へと流れる。さらに、吹出空気は送風ファン８の羽根間を通過して内径側から外径側へと向かい、ケーシング９側へ流れ出ていく。送風ファン８からの吹出空気は、ケーシング９の下流側に設けられた左右風向板，上下風向板１１を通過して、風向制御されて室内に送風される。
【００４２】
一方、運転を停止するときは、送風ファン８の駆動を停止した後に、開閉用パネルと上下風向板を回動させて、開口を閉じるように制御する。
【００４３】
また、熱交換器７の下方には、露受皿が配設されており、冷房運転時や除湿運転時に、熱交換器７に発生する凝縮水を受け止める。これにより集められた凝縮水は、ドレン配管２３を通って室外に排出される。
【００４４】
このように、室内空気の流路が形成される。すなわち、送風ファン８を駆動させることで、室内空気が吸込口１６から吸込まれ、プレフィルター４，空清フィルター５を通過して、熱交換器７において熱交換された後、吹出口１５から室内に吹出される。
【００４５】
このように、本発明は、熱交換を行う熱交換器と、風を送り出す送風ファン８と、左右方向の風向制御を行う左右風向板１０とを、室内ユニット１７に備えたセパレート型の空気調和機を前提とする。
【実施例１】
【００４６】
本発明に係る第１の実施例の空気調和機について、図１から図５にて説明する。
【００４７】
図３と図４は、図２に示すＡ断面を矢印方向から見た図である。すなわち、室内ユニット１７の吹出口１５における、左右風向板１０の配列を示す図である。図３と図４の破線で囲んだ部分は、左右風向板１０のひとつを拡大した図である。また、図３は、吹出空気を室内ユニット１７から正面方向へ送風するときの左右風向板１０の位置を示す図である。図４は、吹出空気を室内ユニット１７から左方向へ送風するときの左右風向板１０の位置を示す図である。
【００４８】
左右風向板１０は、吹出口１５の位置に、略水平方向に所定間隔で複数配列している。本実施例の左右風向板１０は、吹出空気に対して、上流側左右風向板１０ａと下流側左右風向板１０ｂとで構成される。また、上下方向へ風向制御を行うとき、上下風向板１１は上下に回動する。すなわち、吹出口１５からの吹出空気は、上流側左右風向板１０ａと下流側左右風向板１０ｂから構成される左右風向板１０と、上下風向板１１とによって風向制御されて、目的とする方向へと送風される。
【００４９】
上流側左右風向板１０ａの風向上流側の一部は、回転軸１３によって背部のケーシング９に回転自在に軸支される。すなわち、上流側左右風向板１０ａは、回転軸１３を基点として左右方向に回動自在である。
【００５０】
上流側左右風向板１０ａは、風向下流側が開口した中空構造を有し、下流側左右風向板１０ｂの一部は、この中空部に収納される。すなわち、本実施例における左右風向板１０は、下流側左右風向板１０ｂが、上流側左右風向板１０ａの中空部内を、風向上流から下流の方向に、滑動自在に構成される。また、下流側左右風向板１０ｂは、吹出口１５の略水平方向に配設される棒状の連結部材６で連結される。これにより、下流側左右風向板１０ｂは、連結部材６の動作に連動する。
【００５１】
次に、正面風向制御（図３）から左右風向制御（図４）に移行するときの、左右風向板１０の動作を説明する。左右風向制御を行うとき、連結部材６が左右方向，前後方向へ動くことにより、下流側左右風向板１０ｂが連動する。上流側左右風向板１０ａは、下流側左右風向板１０ｂに連動して、回転軸１３を基点に回動する。そして、上流側左右風向板１０ａの中空部に収納された下流側左右風向板１０ｂの部分が、風向下流側へと延出する。
【００５２】
このとき、上流側左右風向板１０ａと下流側左右風向板１０ｂは、完全には離間せず、下流側左右風向板１０ｂの少なくとも一部が、上流側左右風向板１０ａの中空部に収納された状態を保持可能な範囲で、下流側へと延出する。すなわち、左右風向板１０全体は、左右方向への風向制御のときに、風の流れ方向（吹出空気の風向上流から下流の方向。図３，図４においては上側から下側の方向）へ伸長可能な構成である。
【００５３】
次に、左右風向制御（図４）から正面風向制御（図３）へ移行するときの、左右風向板１０の動作を説明する。左右風向制御のとき、上述したように、下流側左右風向板１０ｂの少なくとも一部が、上流側左右風向板１０ａの中空部に収納された状態を保持可能な範囲で、下流側左右風向板１０ｂが風向下流側へと延出している。この状態から、連結部材６が左右風向制御のときとは反対方向に動作することで、左右風向板１０が左右風向制御から正面風向制御の状態に移行する。このとき、下流側左右風向板１０ｂにおける下流側へ延出していた部分は、次第に上流側左右風向板１０ａの中空部に収納される。
【００５４】
図５は、室内ユニットの正面方向と左方向へ風向制御を行うときの、左右風向板１０の動作を示した図である。正面方向送風時の左右風向板１０を実線で示し、左方向送風時の左右風向板１０を破線で示す。左右風向板１０が、最大回転角度αの範囲で、正面方向送風時から左方向送風時の状態に移行する。このとき、下流側左右風向板１０ｂが上流側左右風向板１０ａの中空部に収納された部分が次第に風向下流に延出することにより、左右風向板１０全体が風の流れ方向へ伸長する。左右方向へ風向制御される吹出空気は、左右風向板１０の流れ方向への長さ寸法が長くなることで、吹出角度を広角にできる。具体的に、左右風向板１０の風向上流から下流方向における長さ寸法は、正面方向送風時にｂであり、左方向送風時にｂ′である。そして、ｂ′＞ｂという関係にある。これにより、風向板の形状で規定される風向制御範囲よりも、広い範囲へ送風することができる。
【００５５】
一方、左右風向板１０は正面方向送風時に通風抵抗となる。そこで本構成では、左右方向への風向制御を必要としないときは、左右風向板１０の寸法ｂを、左右方向送風時の寸法ｂ′よりも小さくすることにより、通風抵抗を低減できる。また、運転による騒音を最小限に抑えることができる。
【００５６】
以上の構造により、風向板の寸法，数、及び回転角度によって規定される左右方向への風向制御よりも、広範な風向制御が可能となる。さらに、正面方向への送風時には、左右方向への送風時よりも、左右風向板の長さ寸法（吹出空気の上流から下流の方向への長さ寸法）を小さくすることで、通風抵抗を低減することができる。
【００５７】
また、下流側左右風向板１０ｂが、上流側左右風向板１０ａの中空部から脱落することを防止する為に、ストッパ構造を備えた左右風向板１０が考えられる。一例として、下流側左右風向板１０ｂの上流側の端部と、上流側左右風向板１０ａの下流側の端部に、段部を設ける構造が考えられる。これにより、空気調和機の風向制御時における信頼性を向上できる。
【００５８】
本実施例は、下流側左右風向板１０ｂが上流側左右風向板１０ａの中空部に収納される構成である。しかし、これに限られるものではなく、別の構成について図６から図９を用いて説明する。
【００５９】
図６は、室内ユニットの側断面図を示す。図７と図８は、図６に示すＢ断面を矢印方向から見た図である。すなわち、室内ユニット１７の吹出口１５における、左右風向板１０の配列を示す図である。図７と図８の破線で囲んだ部分は、左右風向板１０のひとつを拡大した図である。また、図７は、吹出空気を室内ユニット１７から正面方向へ送風するときの左右風向板１０の位置を示す図である。図８は、吹出空気を室内ユニット１７から左方向へ送風するときの左右風向板１０の位置を示す図である。
【００６０】
図９は、室内ユニットの正面方向と左方向へ風向制御を行うときの、左右風向板１０の動作を示した図である。正面方向送風時の左右風向板１０を実線で示し、左方向送風時の左右風向板１０を破線で示す。
【００６１】
上記の構成と異なる点は、下流側左右風向板１０ｄに風向上流側が開口した中空部が設けられ、この中空部に上流側左右風向板１０ｃが収納される点である。
【００６２】
具体的には、上流側左右風向板１０ｃは、下流側の一部分が下流側左右風向板１０ｄの中空部に滑動自在に収納されている。なお、その他の構成は上記の実施例と同様である。
【００６３】
左右への風向制御の際、下流側左右風向板１０ｄは、連結部材６の動作によって、左右方向へと連動する。これにより、下流側左右風向板１０ｄを収納していた上流側左右風向板１０ｃの中空部が、風向下流側へと延出するように構成される。
【００６４】
このとき、下流側左右風向板１０ｄと上流側左右風向板１０ｃは、完全には離間せず、上流側左右風向板１０ｃの中空部は、下流側左右風向板１０ｄの少なくとも一部を収納した状態を保持可能な範囲で、下流側へと延出する。すなわち、左右風向板１０全体は、左右方向への風向制御のときに、風の流れ方向（吹出空気の風向上流から下流の方向）へ左右風向板１０を伸長できる構成である。
【００６５】
次に、左右風向制御から正面風向制御へ移行するときの、左右風向板１０の動作を説明する。左右風向制御のとき、上述したように、上流側左右風向板１０ｃの少なくとも一部が、下流側左右風向板１０ｄの中空部に収納された状態を保持可能な範囲で、下流側左右風向板１０ｄが下流側へと延出している。この状態から、連結部材６が左右風向制御のときとは反対方向に動作することで、左右風向板１０が左右風向制御から正面風向制御の状態に移行する。このとき、下流側左右風向板１０ｄの下流側へ延出していた中空部分は、次第に上流側左右風向板１０ｃを収納していくように構成される。
【００６６】
以上の構造とすることで、風向板の寸法，数、及び回転角度によって規定される左右方向への風向制御よりも、広範な風向制御が可能となる。さらに、正面方向への送風時には、左右風向板の流れ方向への長さ寸法を最小とすることで、通風抵抗を低減することができる。
【実施例２】
【００６７】
次に、本発明に係る第２の実施形態について、図１０から図１３を用いて説明する。図１０は、室内ユニットの側断面図である。図１１と図１２は、図１０に示すＣ断面を矢印方向から見た図である。すなわち、室内ユニット１７の吹出口１５における、左右風向板１０の配列を示す図である。図１１は、吹出空気を室内ユニット１７から正面方向へ送風するときの左右風向板１０ｅの位置を示す図である。図１２は、吹出空気を室内ユニット１７から左方向へ送風するときの左右風向板１０ｅの位置を示す図である。
【００６８】
左右風向板１０ｅは、吹出口１５の位置に、略水平方向に所定間隔で複数配列している。
【００６９】
本実施例の左右風向板１０ｅの上流側の一部は、回転軸１３によって背面側のケーシング９に回転自在に軸支される。すなわち、左右風向板１０ｅは、回転軸１３を基点として左右方向に回動自在である。また、左右風向板１０ｅは、それぞれ連結部材６で連結されて連動する。また、上下方向へ風向制御を行うとき、上下風向板１１は上下に回動する。すなわち、吹出空気は、左右風向板１０ｅと、上下風向板１１とによって風向制御されることで、目的とする方向へ送風される。
【００７０】
正面風向制御（図１１）から左右風向制御（図１２）に移行するときの、左右風向板１０ｅの動作を説明する。左右方向へ風向制御を行うとき、連結部材６が左右方向，前後方向へ動くことにより、左右風向板１０ｅが連動して、回転軸１３を基点に回動する。
【００７１】
左右風向板１０ｅは、風向上流から風向下流の方向に伸縮自在な弾性体で構成されており、回転軸１３から、連結部材６の連接部までの距離において、風の流れ方向（吹出空気の風向上流から下流の方向）へ伸縮自在である。すなわち、本実施例の左右風向板１０ｅは、一軸方向への弾性を有する材料で構成される。これにより、左右風向板１０ｅは、連結部材６の動作に連動して、流れ方向へと伸縮する。
【００７２】
次に、左右風向制御（図１２）から正面風向制御（図１１）へ移行するときの、左右風向板１０ｅの動作を説明する。左右風向制御のとき、上述したように、左右風向板１０ｅが下流側へと伸長している。この状態から、連結部材６が左右風向制御のときとは反対方向に動作することで、左右風向板１０ｅが左右風向制御から正面風向制御の状態に移行する。このとき、左右風向板１０ｅの下流側へ伸長した分は、次第に収縮していくように構成される。
【００７３】
図１３は、室内ユニットの正面側と左側へ風向制御を行うときの、左右風向板１０ｅの動作を示した図である。正面方向送風時の左右風向板１０ｅを実線で示し、左方向送風時の左右風向板１０ｅを破線で示す。左右風向板１０ｅは、最大回転角度αの範囲で、正面方向送風時から左方向送風時の状態に移行する。このとき、左右風向板１０ｅが吹出空気の流れ方向へ伸長する。具体的に、左右風向板１０ｅの風向上流から下流方向における長さ寸法は、正面送風時にｂであり、左方向送風時にｂ′である。そして、ｂ′＞ｂという関係にある。これにより、吹出角度が広角となり、風向板の形状で規定される風向制御範囲よりも、広い範囲へ送風することができる。
【００７４】
一方、左右風向板１０ｅは正面方向送風時に通風抵抗となる。そこで本構成では、左右方向への風向制御を必要としない状態においては、左右風向板１０ｅの寸法ｂを、左右方向送風時の寸法ｂ′よりも小さくすることにより、通風抵抗を低減できる。さらに、運転による騒音を最小限に抑えることができる。
【００７５】
以上の構造とすることで、風向板の寸法，数、及び回転角度によって規定される左右方向への風向制御よりも、広範な風向制御が可能となる。さらに、正面方向への送風時には、左右風向板１０ｅの流れ方向への長さ寸法を最小とすることで、通風抵抗を低減することができる。
【実施例３】
【００７６】
本発明に係る第３の実施例の空気調和機を、図１４から図１７を用いて説明する。
【００７７】
図１４は、室内ユニット１７の側断面図である。図１５と図１６は、図１４に示すＤ断面を矢印方向から見た図である。すなわち、室内ユニット１７の吹出口１５における、左右風向板１０の配列を示す図である。図１５と図１６における破線で囲んだ部分は、左右風向板１０のひとつを拡大した図である。また、図１５は、吹出空気を室内ユニット１７から正面方向へ送風するときの左右風向板１０の位置を示す図である。図１６は、吹出空気を室内ユニット１７から左方向へ送風するときの左右風向板１０の位置を示す図である。
【００７８】
左右風向板１０は、吹出口１５の位置に、略水平方向に複数配列している。本実施例の左右風向板１０は、吹出空気に対して、上流側左右風向板１０ｆと下流側左右風向板１０ｇとで構成される。また、上下方向へ風向制御を行うとき、上下風向板１１は上下に回動する。すなわち、吹出空気は、上流側左右風向板１０ｆと下流側左右風向板１０ｇから構成される左右風向板１０と、上下風向板１１とによって風向制御されることで、目的とする方向へ送風する。
【００７９】
上流側左右風向板１０ｆは、背面側のケーシング９に上流側の一部が固定される。
【００８０】
上流側左右風向板１０ｆは、風向下流側が開口した中空構造を有し、下流側左右風向板１０ｇの一部は、この中空部に収納される。すなわち、本実施例における左右風向板１０は、下流側左右風向板１０ｇが、上流側左右風向板１０ｆの中空部内を、風向上流から下流の方向に、滑動自在に構成される。また、下流側左右風向板１０ｇは、吹出口１５の略水平方向に配設される棒状の連結部材６で連結される。これにより、下流側左右風向板
１０ｇは、連結部材６の動作に連動する。
【００８１】
正面風向制御（図１５）から左右風向制御（図１６）に移行するときの、左右風向板１０の動作を説明する。左右方向へ風向制御を行うとき、連結部材６が左右方向，前後方向へ動くことにより、下流側左右風向板１０ｇがそれぞれ連動する。上流側左右風向板
１０ｆは固定されているので、連動しない構成である。
【００８２】
左右への風向制御の際、下流側左右風向板１０ｇは、連結部材６の動作によって、左右方向へと付勢される。これにより、上流側左右風向板１０ｆの中空部に収納されていた下流側左右風向板１０ｇの上流側の一部が、風向下流側へと延出するように構成される。
【００８３】
このとき、上流側左右風向板１０ｆと下流側左右風向板１０ｇは、完全には離間せず、下流側左右風向板１０ｇの一部は、上流側左右風向板１０ｆの中空部に一部が収納された状態を保持できる範囲で、下流側へと延出する。すなわち、左右風向板１０全体は、左右方向への風向制御のときに、風の流れ方向（風向上流から下流の方向）へ伸長できる構成である。また、下流側左右風向板１０ｇは、弾性体で構成されており、左右方向への風向制御のとき、送風方向へ湾曲する。また、上流側左右風向板１０ｆは、特に弾性を有することで湾曲させるものではない。すなわち、上流側左右風向板１０ｆは湾曲せず、下流側左右風向板１０ｇは湾曲する構成である。
【００８４】
次に、左右風向制御（図１６）から正面風向制御（図１５）へ移行するときの、左右風向板１０の動作を説明する。左右風向制御のとき、上述したように、下流側左右風向板１０ｇの少なくとも一部が、上流側左右風向板１０ｆの中空部に収納された状態を保持可能な範囲で、下流側左右風向板１０ｇが風向下流側へと湾曲しながら延出している。この状態から、連結部材６が左右風向制御のときとは反対方向に動作することで、左右風向板１０が左右風向制御の状態から正面風向制御の状態に移行する。このとき、下流側左右風向板１０ｇは、湾曲した状態から直線の状態へと戻る。これに伴い、下流側左右風向板１０ｇにおける下流側へ延出した部分は、次第に上流側左右風向板１０ｆの中空部に滑動して収納される。
【００８５】
図１７は、室内ユニットの正面方向と左方向へ風向制御を行うときの、左右風向板１０の動作を示した図である。正面方向送風時の左右風向板１０を実線で示し、左方向送風時の左右風向板１０を破線で示す。
【００８６】
左方向への風向制御は、下流側左右風向板１０ｇが上流側左右風向板１０ｆの中空部を滑動することにより、左右風向板１０全体が風の流れ方向へ伸長する。
【００８７】
また、下流側左右風向板１０ｇは、弾性を有しているので、左右風向制御のときに湾曲した形状となる。この構成により、送風ファン８から送られた吹出空気は、上流側左右風向板１０ｆの位置では、そのまま略正面方向に送風され、下流側左右風向板１０ｇの位置では、次第に目的とする送風方向へと曲線状に偏向されて送風される。
【００８８】
すなわち、吹出空気は、左右風向板１０の上流側から下流側の方向に、曲線状の流線が形成され、スムーズに偏向して送風することができる。
【００８９】
左右方向へ風向制御される吹出空気は、左右風向板１０が流れ方向への長さ寸法が長くなることで、吹出角度が広角となる。これにより、風向板の形状で規定される風向制御範囲よりも、広い範囲へ送風することができる。
【００９０】
一方、左右風向板１０は正面方向送風時に通風抵抗となる。すなわち、本実施例では、左右方向への風向制御を必要としない状態においては、左右風向板１０の流れ方向への長さ寸法を左右風向制御のときよりも小さくすることにより、通風抵抗を低減できる。さらに、運転による騒音を最小限に抑えることができる。
【００９１】
以上の構造とすることで、左右風向板１０の寸法，数、及び回転角度によって規定される左右方向への風向制御よりも、広範な風向制御が可能となる。さらに、正面方向への送風時には、左右風向板の流れ方向への長さ寸法を最小とすることで、通風抵抗を低減することができる。さらに、上流側左右風向板１０ｆはケーシング９に固定されているため、左右風向板への風の流入を良好にでき、左右方向へ風向制御を行う場合に、騒音を低減することができる。
【００９２】
本実施例は、下流側左右風向板１０ｇが上流側左右風向板１０ｆの中空部に収納される構成である。しかし、これに限られるものではなく、別の構成について図１８から図２１を用いて説明する。
【００９３】
図１８は、室内ユニット１７の側断面図を示している。図１９と図２０は、図１８に示すＤ断面を、矢印方向から見た図である。すなわち、室内ユニット１７の吹出口１５における、左右風向板１０の配列を示す図である。図１９と図２０における破線で囲んだ部分は、左右風向板１０のひとつを拡大した図である。また、図１９は、吹出空気を室内ユニット１７から正面方向に送風するときの左右風向板１０の位置を示す図である。図２０は、吹出空気を室内ユニット１７から左方向へ送風するときの左右風向板１０の位置を示す図である。
【００９４】
図２１は、室内ユニット１７の正面方向と左方向へ風向制御を行うときの、左右風向板１０の動作を示した図である。正面方向送風時の左右風向板１０を実線で示し、左方向送風時の左右風向板１０を破線で示す。
【００９５】
上記の構成と異なる点は、下流側左右風向板１０ｉに風向上流側が開口した中空部が設けられ、この中空部に上流側左右風向板１０ｈの下流側の一部が収納されている点である。
【００９６】
具体的には、上流側左右風向板１０ｈの下流側の一部分が下流側左右風向板１０ｉの中空部に滑動自在に収納されている。
【００９７】
左右への風向制御の際、下流側左右風向板１０ｉは、連結部材６の動作によって、左右方向へと連動する。これにより、上流側左右風向板１０ｈを収納していた下流側左右風向板１０ｉの中空部が、風向下流側へと延出するように構成される。
【００９８】
このとき、上流側左右風向板１０ｈと下流側左右風向板１０ｉは、完全には離間せず、下流側左右風向板１０ｉの中空部は、上流側左右風向板１０ｈの一部を収納した状態を保持できる範囲で、下流側へと延出する。すなわち、左右風向板１０全体は、左右方向への風向制御のときに、風の流れ方向（吹出空気の風向上流から下流の方向）へ左右風向板１０を伸長できる構成である。
【００９９】
また、上流側左右風向板１０ｈは、弾性を有しているので、左右風向制御のときに湾曲した形状となる。また、下流側左右風向板１０ｉは、特に弾性を有することで湾曲させるものではない。すなわち、下流側左右風向板１０ｉは湾曲せず、上流側左右風向板１０ｈは湾曲する構成である。この構成により、送風ファン８から送られた正面方向の風向を持つ吹出空気は、上流側左右風向板１０ｈでは、目的とする送風方向へと曲線状に次第に偏向されて送風される。
【０１００】
すなわち、吹出空気は、左右風向板１０の上流側から下流側の方向に、曲線状の流線が形成され、スムーズに偏向して送風することができる。
【０１０１】
以上の構造とすることで、風向板の寸法，数、及び回転角度によって規定される左右方向への風向制御よりも、広範な風向制御が可能となる。さらに、正面方向への送風時には、左右風向板の流れ方向への長さ寸法を最小とすることで、通風抵抗を低減することができる。さらに、上流側左右風向板１０ｈはケーシング９に固定されているため、左右風向板への風の流入を良好にでき、左右方向へ風向制御を行う場合に、騒音を低減することができる。
【実施例４】
【０１０２】
本発明に係る第４の実施形態を、図２２〜図２５を用いて説明する。
【０１０３】
図２２は、室内ユニットの側断面図である。図２３と図２４は、図２２に示すＥ断面を矢印方向から見た図である。すなわち、室内ユニット１７の吹出口１５における、左右風向板１０の配列を示す図である。また、図２３は、吹出空気を室内ユニット１７から正面方向へ送風するときの左右風向板１０の位置を示す図である。図２４は、吹出空気を室内ユニット１７から左方向へ送風するときの左右風向板１０の位置を示す図である。
【０１０４】
左右風向板１０は、吹出口１５の位置に、略水平方向に複数配列している。本実施例の左右風向板１０ｊの上流側の一部は、背面側のケーシング９に固定される。また、左右風向板１０ｊは、それぞれ連結部材６で連結されているので、左右風向板１０ｊは連動できる。また、上下方向へ風向制御を行うとき、上下風向板１１は上下に回動する。すなわち、室内ユニット１７の吹出口１５から吹出される空気は、左右風向板１０ｊと、上下風向板１１とによって風向制御されることで、目的とする方向へ送風される。
【０１０５】
正面風向制御（図２３）から左右風向制御（図２４）に移行するときの、左右風向板１０の動作を説明する。左右風向制御を行うとき、連結部材６が左右方向，前後方向へ動くことにより、左右風向板１０ｊが連動する。左右風向板１０ｊは、弾性部材から構成されており、上流側の一部が固定されているので、連結部材６に連動して湾曲する。すなわち、左右風向板１０ｊは、固定端から、連結部材６の連接部までの距離において、風の流れ方向（風向上流から下流の方向）へ曲線状の流線を形成する。
【０１０６】
次に、左右風向制御（図２４）から正面風向制御（図２３）に移行するときの、左右風向板１０ｊの動作を説明する。左右風向制御のとき、前述したように、左右風向板１０ｊは、連結部材６に連動して湾曲している。この状態から、連結部材６が左右風向制御のときとは反対方向に動作することで、左右風向板１０ｊが左右風向制御から正面風向制御の状態に移行する。このとき、左右風向板１０ｊの形状は、湾曲した状態から次第に直線状になる。
【０１０７】
図２５は、室内ユニットの正面方向と左方向へ風向制御を行うときの、左右風向板１０ｊの動作を示した図である。正面方向送風時の左右風向板１０ｊを実線で示し、左方向送風時の左右風向板１０ｊを破線で示す。図２５に示すように、左側への風向制御時は、正面送風時に比べて、左右風向板１０ｊが風の流れ方向へ伸長して、曲線状に変形する。
【０１０８】
すなわち、吹出空気は、左右風向板１０ｊの上流側から下流側の方向に、曲線状の流線が形成されるので、スムーズに偏向して送風することができる。
【０１０９】
左右方向へ風向制御される吹出空気は、左右風向板１０ｊが送風方向への長さ寸法が長くなることで、吹出角度が広角となる。これにより、風向板の形状で規定される風向制御範囲よりも、広い範囲へ送風することができる。
【０１１０】
一方、左右風向板１０ｊは正面方向送風時に通風抵抗となる。そこで本構成では、左右風向板１０ｊの送風方向への長さ寸法を、左右方向送風時よりも正面方向送風時に小さくすることにより、通風抵抗を低減できる。さらに、正面方向への送風時は、左右風向板１０ｊの流れ方向への長さ寸法は小さいので、運転による騒音を最小限に抑えることができる。
【０１１１】
以上の構成により、左右風向板１０ｊの寸法，数、及び回転角度によって規定される左右方向への風向制御よりも、広範な風向制御が可能となる。さらに、正面方向への送風時には、左右風向板１０ｊの流れ方向への長さ寸法を最小とすることで、通風抵抗を低減することができる。さらに、左右風向板１０ｊは、ケーシング９に固定されているため、左右風向板１０ｊへの風の流入を良好にでき、左右方向へ風向制御を行う場合に、騒音を低減することができる。
【０１１２】
以上の実施例は、左右風向板を連動させる連結部材６を駆動装置によって動作させる構成である。この構成に限らず、左右風向板のひとつが駆動装置によって動作するように構成してもよい。この場合、左右風向板同士は連結部材で連結されているので、駆動装置に連結された左右風向板の動作に伴って、左右風向板全体を連動させることができる。
【０１１３】
また、連結部材で全ての左右風向板を連結せずに、所定数ごとの左右風向板が連動するように連結する構成であってもよい。一例として、吹出口１５の水平方向に対して左側と右側で独立して左右風向板が動作するように連結する構成がある。
【０１１４】
上記実施例の左右風向板を備えた空気調和機は、正面方向送風時の通風抵抗を低減し、かつ、左右方向へ広角に調和空気を送風できる。これにより、室内ユニットの設置状況によらず、室内の隅々に調和空気を送風することができる。すなわち、室内ユニットを設置した部屋の間取りによらず、室内の温度むらを低減することができる。
【０１１５】
また、送風騒音を低減できるので、設置した室内環境の静穏性を向上できる。
【図面の簡単な説明】
【０１１６】
【図１】本発明の実施例に関する空気調和機の室内ユニットの全体図。
【図２】本発明の第１の実施例に関する空気調和機の室内ユニットの側断面図。
【図３】本発明の第１の実施例に関する吹出口と左右風向板の概略図。
【図４】本発明の第１の実施例に関する吹出口と左右風向板の概略図。
【図５】本発明の第１の実施例に関する左右風向板の拡大図。
【図６】本発明の第１の実施例に関する空気調和機の室内ユニットの側断面図。
【図７】本発明の第１の実施例に関する吹出口と左右風向板の概略図。
【図８】本発明の第１の実施例に関する吹出口と左右風向板の概略図。
【図９】本発明の第１の実施例に関する左右風向板の拡大図。
【図１０】本発明の第２の実施例に関する空気調和機の室内ユニットの側断面図。
【図１１】本発明の第２の実施例に関する吹出口と左右風向板の概略図。
【図１２】本発明の第２の実施例に関する吹出口と左右風向板の概略図。
【図１３】本発明の第２の実施例に関する左右風向板の拡大図。
【図１４】本発明の第３の実施例に関する空気調和機の室内ユニットの側断面図。
【図１５】本発明の第３の実施例に関する吹出口と左右風向板の概略図。
【図１６】本発明の第３の実施例に関する吹出口と左右風向板の概略図。
【図１７】本発明の第３の実施例に関する左右風向板の拡大図。
【図１８】本発明の第３の実施例に関する空気調和機の室内ユニットの側断面図。
【図１９】本発明の第３の実施例に関する吹出口と左右風向板の概略図。
【図２０】本発明の第３の実施例に関する吹出口と左右風向板の概略図。
【図２１】本発明の第３の実施例に関する左右風向板の拡大図。
【図２２】本発明の第４の実施例に関する空気調和機の室内ユニットの側断面図。
【図２３】本発明の第４の実施例に関する吹出口と左右風向板の概略図。
【図２４】本発明の第４の実施例に関する吹出口と左右風向板の概略図。
【図２５】本発明の第４の実施例に関する左右風向板の拡大図。
【図２６】一般的な空気調和機の室内ユニットにおける風向板と吹出空気の関係図。
【図２７】空気調和機の全体構成図。
【符号の説明】
【０１１７】
１  前面パネル
２  上面グリル
３  ユニット枠
４  プレフィルター
５  空清フィルター
６  連結部材
７  熱交換器
８  送風ファン
９  ケーシング
１０  左右風向板
１０ａ，１０ｃ，１０ｆ，１０ｈ  上流側左右風向板
１０ｂ，１０ｄ，１０ｇ，１０ｉ  下流側左右風向板
１０ｅ，１０ｊ  左右風向板
１１  上下風向板
１２  電器品
１３  回転軸
１４  冷媒用銅パイプ
１５  吹出口
１６  吸込口
１７  室内ユニット
１８  表示部
１９  受光部
２０  リモコン
２１  接続配管
２２  室外機
２３  ドレン配管
【図１】
2008281215.tif 000003
【図２】
2008281215.tif 000004
【図３】
2008281215.tif 000005
【図４】
2008281215.tif 000006
【図５】
2008281215.tif 000007
【図６】
2008281215.tif 000008
【図７】
2008281215.tif 000009
【図８】
2008281215.tif 000010
【図９】
2008281215.tif 000011
【図１０】
2008281215.tif 000012
【図１１】
2008281215.tif 000013
【図１２】
2008281215.tif 000014
【図１３】
2008281215.tif 000015
【図１４】
2008281215.tif 000016
【図１５】
2008281215.tif 000017
【図１６】
2008281215.tif 000018
【図１７】
2008281215.tif 000019
【図１８】
2008281215.tif 000020
【図１９】
2008281215.tif 000021
【図２０】
2008281215.tif 000022
【図２１】
2008281215.tif 000023
【図２２】
2008281215.tif 000024
【図２３】
2008281215.tif 000025
【図２４】
2008281215.tif 000026
【図２５】
2008281215.tif 000027
【図２６】
2008281215.tif 000028
【図２７】
2008281215.tif 000029